(57)【要約】【課題】ライン型インクジェット方式のインクジェット記録装置において、生産性の向上を図ることが可能なインクジェット記録装置を提供する。【解決手段】主走査方向から見て隣接する記録ヘッド同士の端部が重畳するよう千鳥状に配置された二列のヘッド列を有するヘッドアレイと、一ライン分の画像データを順次転送するとともに、当該画像データの転送先となる前記記録ヘッドを指定した画像データ転送クロックを転送する画像データ転送部と、前記画像データ転送部が転送する画像データのうち、前記記録ヘッドの重畳部分に対応する画像データの記録を担当する記録ヘッドを選択した記録ヘッド選択信号を出力する記録ヘッド選択部と、前記画像データ、前記画像データ転送クロック及び前記記録ヘッド選択信号に基づき、前記記録ヘッドの各々を駆動する記録ヘッド駆動部と、を備える。【選択図】図１４
2015178180.tif 000002
【特許請求の範囲】
【請求項１】
主走査方向から見て隣接する記録ヘッド同士の端部が重畳するよう千鳥状に配置された二列のヘッド列を有するヘッドアレイと、
一ライン分の画像データを順次転送するとともに、当該画像データの転送先となる前記記録ヘッドを指定した画像データ転送クロックを転送する画像データ転送部と、
前記画像データ転送部が転送する画像データのうち、前記記録ヘッドの重畳部分に対応する画像データの記録を担当する記録ヘッドを選択した記録ヘッド選択信号を出力する記録ヘッド選択部と、
前記画像データ、前記画像データ転送クロック及び前記記録ヘッド選択信号に基づき、前記記録ヘッドの各々を駆動する記録ヘッド駆動部と、
を備えることを特徴とするインクジェット記録装置。
【請求項２】
前記画像データ転送部は、前記記録ヘッドの重畳部分に対応する前記画像データの画像データ転送クロックを、重畳関係にある当該記録ヘッドの両方に転送することを特徴とする請求項１に記載のインクジェット記録装置。
【請求項３】
前記記録ヘッド選択部は、前記ヘッド列の単位で、前記重畳部分の画像データの記録先を切り替えることを特徴とする請求項１又は２に記載のインクジェット記録装置。
【請求項４】
前記記録ヘッド選択部は、前記重畳部分の画像データの記録先として選択した一方のヘッド列に転送される画像データを、当該画像データに応じたマスクパターンでマスクさせるとともに、他方のヘッド列に転送される画像データを、非吐出を指示するマスクパターンでマスクさせることを特徴とする請求項３に記載のインクジェット記録装置。
【請求項５】
前記記録ヘッド選択部は、前記画像データの一部を前記記録ヘッド選択信号として使用することを特徴とする請求項１〜４の何れか一項に記載のインクジェット記録装置。
【請求項６】
前記記録ヘッド選択信号の遷移タイミングを変更する主制御部を更に備えることを特徴とする請求項１〜５の何れか一項に記載のインクジェット記録装置。
【請求項７】
前記主制御部は、周期性を有する所定のパターンに基づいて、前記記録ヘッド選択信号の遷移タイミングを周期的に変更することを特徴とする請求項６に記載のインクジェット記録装置。
【請求項８】
前記主制御部は、前記記録ヘッド選択信号の値に応じて、当該記録ヘッド選択信号の遷移タイミングを変更することを特徴とする請求項６に記載のインクジェット記録装置。
【請求項９】
前記主制御部は、重畳関係にある前記記録ヘッド間毎に、前記記録ヘッド選択信号の遷移タイミングを変更することを特徴とする請求項６に記載のインクジェット記録装置。
【請求項１０】
前記主制御部は、前記記録ヘッド選択信号の遷移タイミングを変更する変更条件が複数存在する場合、各変更条件に予め設定された優先度に基づき、使用する変更条件を決定することを特徴とする請求項６〜９の何れか一項に記載のインクジェット記録装置。
【発明の詳細な説明】
【技術分野】
【０００１】
本発明は、インクジェット記録装置に関する。
【０００２】
従来、印刷速度の高速化技術の一つとして、ライン型のインクジェットヘッドを搭載したインクジェット記録装置が知られている。係るインクジェット記録装置では、１ライン分の画像を一度に記録することができるため、シリアル型のインクジェットヘッドを用いたインクジェット記録装置と比較して短い時間で画像を形成することができる。
【０００３】
また、ライン型のインクジェットヘッドでは、シリアル型のインクジェットヘッドと比較し、ノズル数が多くなることから、信号線数やハーネスコスト等が増加するという問題がある。これに対し、例えば特許文献１では、信号線数を増加させる主要因であるピエゾ素子を駆動する信号の転送方法を変更することで、データ通信量及びハーネス数の低減を図る技術が提案されている。
【発明の概要】
【発明が解決しようとする課題】
【０００４】
ところで、ライン型のインクジェットヘッドを、シリアル型のインクジェットヘッドを複数個組み合わせることで構成する場合がある。このような場合、インクジェットヘッド間のつなぎ目を目立たなくさせるため、インクジェットヘッド間の端部で数ノズル分重なるよう千鳥状に配置し、各インクジェットヘッドに画像データを時分割で送出することが行われている。
【０００５】
しかしながら、上記した千鳥状配置の構成では、ノズルが重複する部分の画像データも含めて各インクジェットヘッドに出力することになる。そのため、インクジェットヘッドや重複するノズルの個数が増加するほど、１ライン分の画像データを各インクジェットヘッドに出力する時間が長くなるため、生産性が低下するという問題がある。なお、引用文献１の技術では、重複部分の画像データについては何ら考慮されていないため、この問題を解消することはできない。
【０００６】
本発明は、上記事情に鑑みてなされたものであり、ライン型インクジェット方式のインクジェット記録装置において、生産性の向上を図ることが可能なインクジェット記録装置を提供することを目的とする。
【課題を解決するための手段】
【０００７】
上述した課題を解決し、目的を達成するために、本発明の一態様に係るインクジェット記録装置は、主走査方向から見て隣接する記録ヘッド同士の端部が重畳するよう千鳥状に配置された二列のヘッド列を有するヘッドアレイと、一ライン分の画像データを順次転送するとともに、当該画像データの転送先となる前記記録ヘッドを指定した画像データ転送クロックを転送する画像データ転送部と、前記画像データ転送部が転送する画像データのうち、前記記録ヘッドの重畳部分に対応する画像データの記録を担当する記録ヘッドを選択した記録ヘッド選択信号を出力する記録ヘッド選択部と、前記画像データ、前記画像データ転送クロック及び前記記録ヘッド選択信号に基づき、前記記録ヘッドの各々を駆動する記録ヘッド駆動部と、を備える。
【発明の効果】
【０００８】
本発明によれば、ライン型インクジェット方式のインクジェット記録装置において、生産性の向上を図ることができるという効果を奏する。
【図面の簡単な説明】
【０００９】
【図１】図１は、第１の実施形態に係るインクジェット記録装置の機械的な構成を模式的に示す側面図である。
【図２】図２は、第１の実施形態に係るインクジェット記録装置の機械的な構成を模式的に示す上面図である。
【図３】図３は、ヘッドアレイを図１中の矢印Ａで示す方向から見た底面図である。
【図４】図４は、第１の実施形態に係るインクジェット記録装置のハードウェア構成の一例を示すブロック図である。
【図５】図５は、従来技術に係る記録ヘッド制御部及び記録ヘッド駆動部の構成の一例を示すブロック図である。
【図６】図６は、駆動波形Ｖcomの一例を示す図である。
【図７】図７は、マスクパターンＭＮ［７：０］の一例を示す図である。
【図８】図８は、画像データＳＤ［２：０］の一例を示す図である。
【図９】図９は、従来技術の記録ヘッド制御部から記録ヘッド駆動部へ転送される画像データＳＤ［１：０］及び駆動波形Ｖcomのタイミングチャートの一例を示す図である。
【図１０】図１０は、従来技術のヘッドアレイ制御部からヘッドアレイ駆動部へ転送されるマスクパターンＭＮ［７：０］のタイミングチャートの一例を示す図である。
【図１１】図１１は、個別駆動波形ＶoutＮの一例を示す図である。
【図１２】図１２は、従来技術の記録ヘッド制御部とヘッドアレイとの接続関係を模式的に示す図である。
【図１３】図１３は、従来技術に係る画像データの転送方法を説明するためのタイミングチャートである。
【図１４】図１４は、第１の実施形態に係る記録ヘッド制御部及び記録ヘッド駆動部の構成の一例を示すブロック図である。
【図１５】図１５は、図１４の論理演算部から出力される画像データと、吐出されるインク滴との関係を示す図である。
【図１６】図１６は、第１の実施形態の記録ヘッド制御部から記録ヘッド駆動部へ転送される画像データＳＤ［１：０］のタイミングチャートの一例を示す図である。
【図１７】図１７は、第２の実施形態に係る記録ヘッド制御部及び記録ヘッド駆動部の構成の一例を示すブロック図である。
【図１８】図１８は、図１７の記録ヘッド制御部から出力される画像データと、吐出されるインク滴との関係を示す図である。
【発明を実施するための形態】
【００１０】
以下、添付図面を参照して、本発明に係るインクジェット記録装置の実施形態を説明する。本実施形態において、「記録媒体」とは、特に材質を限定されるものではなく、紙、糸、繊維、布帛、皮革、金属、プラスチック、ガラス、木材、セラミックスなど、様々な材質のものが該当する。また、「画像を形成する」とは、これらの記録媒体に液滴を付着させて、文字や図形などの意味を持つ画像や、パターンなどの意味を持たない画像を形成することを意味し、捺染や金属配線の形成も画像の形成に該当する。また、「液滴」とは、記録媒体に付着させて画像の形成を行うことができる液体の滴であればよく、特に材料を限定されるものではない。
【００１１】
（第１の実施形態）
図１及び図２は、第１の実施形態に係るインクジェット記録装置の機械的な構成を模式的に示す図であり、図１は画像形成装置の側面図、図２は画像形成装置の上面図である。
【００１２】
インクジェット記録装置１は、記録媒体Ｐの幅方向（主走査方向）に対して十分な長さを有する４つのヘッドアレイ１０ａ〜１０ｄを、記録媒体Ｐの搬送方向（副走査方向）に沿って順次配列したライン型インクジェットプリンタとして構成される。４つのヘッドアレイ１０ａ〜１０ｄは、それぞれイエロー（Ｙ）、マゼンタ（Ｍ）、シアン（Ｃ）、黒（Ｋ）の各色に対応する。インクジェット記録装置１は、搬送される記録媒体Ｐに対して各ヘッドアレイ１０ａ〜１０ｄから対応する色のインク滴を順次吐出することで、記録媒体Ｐにフルカラーの画像を形成することが可能である。以下、ヘッドアレイ１０ａ〜１０ｄの色を区別しないときには「ヘッドアレイ１０」という。
【００１３】
記録媒体Ｐは、搬送ベルト２０によって搬送される。搬送ベルト２０は、ローラ２１，２２によって懸架された無端状のベルトである。搬送ベルト２０は、ローラ２１，２２の少なくとも一方が図示しない駆動装置により回転駆動されることによって、記録媒体Ｐを搬送する。
【００１４】
搬送ベルト２０には、多数の貫通孔が設けられている。また、搬送ベルト２０のヘッドアレイ１０ａ〜１０ｄと対向する周面の直下には、図示しない吸引ファンが設けられている。搬送ベルト２０上の記録媒体Ｐは、吸引ファンの作動により生じる負圧によって搬送ベルト２０上に吸引され、搬送される。
【００１５】
図３はヘッドアレイ１０を模式的に示す図であり、ヘッドアレイ１０を図１中の矢印Ａで示す方向から見た底面図である。
【００１６】
ヘッドアレイ１０には、搬送ベルト２０と対向する底面側に、複数の記録ヘッド１１が設けられている。記録ヘッド１１は、記録媒体Ｐの幅方向（主走査方向）から見て隣接する記録ヘッド１１同士の端部が重畳するよう千鳥状に配置されており、記録媒体Ｐの幅方向（主走査方向）に沿って二列のヘッド列を形成する。なお、図３では、ヘッドアレイ１０に８個の記録ヘッド１１ａ〜１１ｈが設けられた例を示している。
【００１７】
記録ヘッド１１には、記録媒体Ｐの紙面に向かってインク滴を吐出する多数のノズル１２が設けられている。これらのノズル１２群は、ノズル列として、記録ヘッド１１のノズル面（搬送ベルト２０により搬送される記録媒体Ｐの紙面と対向する面）に形成されている。
【００１８】
また、記録ヘッド１１には、ノズル１２毎に、例えばピエゾ素子などを用いたノズル駆動部（図示せず）が設けられている。ノズル駆動部として用いるピエゾ素子は、その両端の電極間に所定時間幅の電圧が印加されると伸張する。このピエゾ素子の伸張によりノズル１２内のインク貯留部の体積が収縮し、ノズル１２からインク滴が吐出される。
【００１９】
以下、ノズル１２からインク滴を吐出させるために印加する所定時間幅の電圧を「駆動波形」という。本実施形態の場合、ノズル１２が正常な状態であれば、１個の駆動波形を印加するごとに、ノズル１２から１滴のインク滴が吐出される。このノズル１２から吐出されたインク滴が記録媒体Ｐに付着することで、記録媒体Ｐに画像が形成される。
【００２０】
ところで、記録ヘッド１１の各々は、例えばシリアル型のインクジェットプリンタで用いられるシリアル型のインクジェットヘッドを用いることができる。このように、シリアル型のインクジェットヘッドを複数用いてヘッドアレイ１０を構成する場合、記録ヘッド１１間にはつなぎ目が存在することになる。そのため、図３に示すように、一方のヘッド列を形成する各記録ヘッド１１（１１ａ、１１ｃ、１１ｅ、１１ｇ）の端部と、他方のヘッド列を形成する各記録ヘッド１１（１１ｂ、１１ｄ、１１ｆ、１１ｈ）の端部とで数ノズル分重なるよう千鳥状に配置する。このように記録ヘッド１１を配置することで、記録ヘッド１１間のつなぎ目を目立たなくさせることができる。
【００２１】
以下、記録ヘッド１１間のつなぎ目を重畳部分ともいう。また、図３において、記録ヘッド１１ａ、１１ｃ、１１ｅ及び１１ｇにより形成される一方のヘッド列を「奇数ヘッド列」という。また、記録ヘッド１１ｂ、１１ｄ、１１ｆ及び１１ｈにより形成される他方のヘッド列を「偶数ヘッド列」という。
【００２２】
図４は、インクジェット記録装置１のハードウェア構成の一例を示すブロック図である。図４に示すように、インクジェット記録装置１は、上述したヘッドアレイ１０と、副走査モータ３１と、副走査エンコーダセンサ３２と、ＲＯＭ（Read  Only  Memory）３３と、主制御部であるＣＰＵ（Central  Processing  Unit）３４と、ホストＩ／Ｆ３５と、ＲＡＭ（Random  Access  Memory）３６と、副走査制御部３７と、記録ヘッド制御部４０とを備える。また、ヘッドアレイ１０は、上述した複数個の記録ヘッド１１と、記録ヘッド１１毎に設けられた記録ヘッド駆動部５０とを備える。
【００２３】
ＲＯＭ３３は、インクジェット記録装置１のハードウェア制御を行うファームウェアプログラム、記録ヘッド１１の駆動に用いられる駆動波形データ及びマスクパターンデータ等を予め記憶する。
【００２４】
ＣＰＵ３４は、ホストＰＣ（Personal  Computer）２からホストＩ／Ｆ３５を介して画像データ（印刷ジョブ）を受信すると、受信した画像データをＲＡＭ３６に格納する。副走査制御部３７は、ＣＰＵ３４からの指示に基づいて、副走査モータ３１を駆動させることで記録媒体Ｐを副走査方向に移動する。
【００２５】
記録ヘッド制御部４０は、記録媒体Ｐの副走査方向への移動に連動し、ＲＡＭ３６に格納された画像データ、ＲＯＭ３３に記憶された駆動波形データに基づく駆動波形及びマスクパターンデータに基づくマスクパターンを、記録ヘッド駆動部５０に転送（出力）する。
【００２６】
記録ヘッド駆動部５０は、記録ヘッド制御部４０により転送された画像データ、駆動波形及びマスクパターンに基づいて、記録ヘッド１１（記録ヘッド１１に配された複数のノズル１２）を駆動し、複数のノズル１２にインク滴を吐出させる。
【００２７】
次に、本実施形態のインクジェット記録装置１でのヘッドアレイ１０（記録ヘッド１１）の制御に係る構成について説明する。以下では、上述した記録ヘッド制御部４０の機能や構成を明確にするため、先に従来技術の構成について説明した後に、本実施形態の構成について説明する。
【００２８】
図５は、従来技術に係る記録ヘッド制御部１００及び記録ヘッド駆動部２００の構成の一例を示すブロック図である。図５に示すように、記録ヘッド制御部１００は、画像データ転送部１０１と、マスクパターン転送部１０３と、駆動波形出力部１０５とを備える。
【００２９】
また、記録ヘッド駆動部２００は、画像データシフトレジスタ２０１と、画像データラッチ部２０３と、マスクパターンシフトレジスタ２０５と、マスクパターンラッチ部２０７と、階調デコーダ２０９と、レベルシフタ２１１と、アナログスイッチ２１３とを備える。
【００３０】
まず、駆動波形出力部１０５が記録ヘッド駆動部２００に出力する駆動波形Ｖcom、マスクパターン転送部１０３が記録ヘッド駆動部２００に転送（出力）するマスクパターンデータＭＮ［７：０］及び画像データ転送部１０１が記録ヘッド駆動部２００に転送（出力）する画像データＳＤ［２：０］について説明する。
【００３１】
駆動波形Ｖcomは、微駆動パルスを少なくとも含むパルスで構成される。具体的には、駆動波形Ｖcomは、微駆動パルスと１以上の吐出駆動パルスとの組合せで構成される。微駆動パルスは、ノズル１２を微駆動させるためのパルスであり、吐出駆動パルスは、ノズル１２にインク吐出用の駆動を行わせるためのパルスである。なお、微駆動で動作するノズル１２からは、インクは吐出されないものとする。
【００３２】
図６は、駆動波形Ｖcomの一例を示す図である。駆動波形Ｖcomは、第１駆動パルス〜第４駆動パルスの組合せで構成されている。第１駆動パルスは、微駆動パルスであり、第２駆動パルス〜第４駆動パルスは、吐出駆動パルスである。なお、図６では、第２駆動パルス〜第４駆動パルスの振幅を異ならせる形態としたが、これに限らず、例えば、第２駆動パルス及び第３駆動パルスの振幅を第４駆動パルスと同じにする等、一部又は全ての振幅を同一としてもよい。
【００３３】
図５に戻り、マスクパターンＭＮ［７：０］は、駆動波形Ｖcomの一部や全てのパルスをマスクさせるためのマスクパターンである。
【００３４】
ここで、図７は、マスクパターンＭＮ［７：０］の一例を示す図である。なお、マスクパターンＭＮ［７：０］では、８通りのマスクパターンを定義することが可能であるが、図７では、そのうちの４つのマスクパターン（ＭＮ［０］〜ＭＮ［３］）を示している。
【００３５】
マスクパターンＭＮ［０］は、図６に示す駆動波形Ｖcomの第２駆動パルス〜第４駆動パルスをマスクさせる第１マスクパターンであり、ノズル１２を微駆動させるためのマスクパターンである。
【００３６】
マスクパターンＭＮ［１］は、図６に示す駆動波形Ｖcomの第１駆動パルス〜第３駆動パルスをマスクさせる第２マスクパターンであり、ノズル１２に小滴のインク吐出用の駆動を行わせるためのマスクパターンである。
【００３７】
マスクパターンＭＮ［２］は、図６に示す駆動波形Ｖcomの第１駆動パルス〜第２駆動パルスをマスクさせる第３マスクパターンであり、ノズル１２に中滴のインク吐出用の駆動を行わせるためのマスクパターンである。
【００３８】
マスクパターンＭＮ［３］は、図６に示す駆動波形Ｖcomの第１駆動パルスをマスクさせる第４マスクパターンであり、ノズル１２に大滴のインク吐出用の駆動を行わせるためのマスクパターンである。
【００３９】
図５に戻り、画像データＳＤ［２：０］は、画素（ｄｏｔ）単位のデータで構成され、各画素の階調（濃淡）を表す画素情報を含む。画像データＳＤ［２：０］は、当該画像データＳＤ［２：０］の転送先となる記録ヘッド１１を指定する後述する画像データ転送クロックＳＣＫとともに、マスクパターン転送部１０３から転送（出力）される。なお、本実施形態では、１ｄｏｔが１つのノズル１２に対応する。
【００４０】
図８は、画像データＳＤ［２：０］とインク滴サイズとの関係を示す図である。なお、画像データＳＤ［２：０］では、８階調（３ｂｉｔ）まで対応することが可能であるが、図８では、上位の画像データＳＤ［２］を“０”に固定することで、実質的に４階調（２ｂｉｔ）とした場合の一例を示している。
【００４１】
図８において、画像データＳＤ［１：０］の数値は画素情報に対応する。ここで、画像データＳＤ［２：０］の値が“００”の場合インク滴無を示し、値が“０１”の場合インク滴有（小滴）を示し、値が“１０”の場合インク滴有（中滴）を示し、値が“１１”の場合インク滴有（大滴）を示す。
【００４２】
また、画像データＳＤ［２：０］の値は、後述する階調デコーダ２０９及びレベルシフタ２１１において適用するマスクパターンを指示する。図８では、例えば、画像データＳＤ［２：０］の値が“０００”の場合に、第１マスクパターンで駆動波形Ｖcomをマスクすることを示している。また、画像データＳＤ［２：０］の値が“００１”の場合に、第２マスクパターンで駆動波形Ｖcomをマスクすることを示している。また、画像データＳＤ［２：０］の値が“０１０”の場合に第３マスクパターンで駆動波形Ｖcomをマスクすることを示している。また、画像データＳＤ［２：０］の値が“０１１”の場合に第４マスクパターンで駆動波形Ｖcomをマスクすることを示している。なお、画像データＳＤ［２］を“０”等に固定するような場合には、画像データＳＤ［１：０］の値に応じて、第１マスクパターン〜第４マスクパターンから一のマスクパターンを選定する形態としてもよい。
【００４３】
次に、図５、図９及び図１０を参照しながら、従来構成の記録ヘッド制御部１００及び記録ヘッド駆動部２００の動作について説明する。図９は、記録ヘッド制御部１００から記録ヘッド駆動部２００へ転送される画像データＳＤ［１：０］及び駆動波形Ｖcomのタイミングチャートの一例を示す図である。また、図１０は、記録ヘッド制御部１００から記録ヘッド駆動部２００へ転送されるマスクパターンＭＮ［７：０］のタイミングチャートの一例を示す図である。なお、図９では、画像データを２ｂｉｔの画像データＳＤ［１：０］とした例を示している。また、図１０では、３ｂｉｔのマスクパターンＭＮ［７：０］としているが、図７で説明したマスクパターンＭＮ［３：０］が用いられるものとする。
【００４４】
画像データ転送部１０１は、画像データＳＤ［１：０］を、記録ヘッド駆動部５０の画像データシフトレジスタ２０１に転送する。
【００４５】
具体的には、画像データ転送部１０１は、記録ヘッド制御部１００内で記録周期毎に生成される駆動開始信号に基づき、記録ヘッド１１に配されたノズル１２の数分の画像データＳＤ［１：０］を、ＲＡＭ３６に格納された画像データから取得する。そして、画像データ転送部１０１は、ノズル１２の数分の画像データＳＤ［１：０］を、画像データ転送クロックＳＣＫとともに、画像データシフトレジスタ２０１に転送する（図９のｔ１参照）。なお、記録周期は、ノズル１２にインクを吐出させるために必要な周期である。
【００４６】
画像データＳＤ［１：０］の転送が完了すると、画像データ転送部１０１は、記録ヘッド駆動部２００の画像データラッチ部２０３に画像データラッチ信号ＳＬｎを出力する。これにより、画像データシフトレジスタ２０１に転送した画像データＳＤ［１：０］を画像データラッチ部２０３に記憶させる（図９のｔ２参照）。
【００４７】
画像データＳＤ［１：０］のラッチが完了すると、駆動波形出力部１０５は、駆動波形Ｖcomを、記録ヘッド駆動部２００のアナログスイッチ２１３に転送する。具体的には、駆動波形出力部１０５は、ＲＯＭ３３から駆動波形データを取得し、取得した駆動波形データに基づく駆動波形Ｖcomをアナログスイッチ２１３に転送する（図９のｔ３参照）。
【００４８】
この際、マスクパターン転送部１０３は、駆動波形Ｖcomの転送タイミングに合わせてマスクパターンＭＮ［７：０］を記録ヘッド駆動部２００のマスクパターンシフトレジスタ２０５に転送する。具体的には、マスクパターン転送部１０３は、マスクパターンＭＮ［７：０］のそれぞれをマスクパターンシリアル転送データＭＤに設定し、マスクパターンシリアル転送クロックＭＣＫに基づいて、マスクパターンシフトレジスタ２０５に転送する（図１０参照）。
【００４９】
マスクパターンシリアル転送データＭＤの転送が完了すると、マスクパターン転送部１０３は、記録ヘッド駆動部２００のマスクパターンラッチ部２０７にマスクパターンシリアル転送ラッチ信号ＭＬｎを出力する。そして、マスクパターン転送部１０３は、マスクパターンシフトレジスタ２０５に転送したマスクパターンシリアル転送データＭＤをマスクパターンＭＮ［７：０］としてマスクパターンラッチ部２０７に記憶させる（図１０参照）。
【００５０】
記録ヘッド駆動部２００の階調デコーダ２０９及びレベルシフタ２１１は、画像データラッチ部２０３に記憶されたノズル１２の数分の画像データＳＤ［１：０］それぞれと、マスクパターンラッチ部２０７に記憶されたマスクパターンＭＮ［７：０］のうち画像データＳＤ［１：０］に該当するマスクパターンＭＮとの論理演算を行う。そして記録ヘッド駆動部２００のアナログスイッチ２１３は、論理演算結果に基づいて開閉を行って駆動波形Ｖcomを出力する。これにより、ノズル１２（アクチュエータ）毎の個別駆動波形ＶoutＮ（Ｎは、該当ノズルを示す値）が記録ヘッド１１の各ノズル１２に出力され、各ノズル１２で個別駆動波形ＶoutＮに基づく駆動が行われる。つまり、記録ヘッド駆動部２００は、ノズル１２毎に、転送された駆動波形Ｖcom及び画像データＳＤ［１：０］に基づいて個別駆動波形ＶoutＮを生成する。そして、記録ヘッド駆動部２００は、個別駆動波形ＶoutＮに基づいて該当ノズルを微駆動させる。
【００５１】
具体的には、記録ヘッド駆動部２００は、画像データＳＤ［１：０］が“００”の場合、駆動波形Ｖcomを第１マスクパターンＭＮ［０］でマスクした個別駆動波形ＶoutＮを生成する。また、記録ヘッド駆動部２００は、画像データＳＤ［１：０］が“０１”の場合、駆動波形Ｖcomを第２マスクパターンＭＮ［１］でマスクした個別駆動波形ＶoutＮを生成する。また、記録ヘッド駆動部２００は、画像データＳＤ［１：０］が“１０”の場合、駆動波形Ｖcomを第２マスクパターンＭＮ［２］でマスクした個別駆動波形ＶoutＮを生成する。また、記録ヘッド駆動部２００は、画像データＳＤ［１：０］が“１１”の場合、駆動波形Ｖcomを第４マスクパターンＭＮ［３］でマスクした個別駆動波形ＶoutＮを生成する。
【００５２】
図１１は、個別駆動波形ＶoutＮの一例を示す図であり、微駆動波形、吐出駆動波形（小滴）、吐出駆動波形（中滴）、及び吐出駆動波形（大滴）を示している。
【００５３】
微駆動波形は、駆動波形Ｖcomを第１マスクパターンＭＮ［０］でマスクした個別駆動波形ＶoutＮであり、駆動波形Ｖcomの第１駆動パルスで構成されている。このため、微駆動波形をノズル１２に出力することにより、ノズル１２を微駆動させること、すなわちインクの吐出を抑制することができる。
【００５４】
吐出駆動波形（小滴）は、駆動波形Ｖcomを第２マスクパターンＭＮ［１］でマスクした個別駆動波形ＶoutＮであり、駆動波形Ｖcomの第４駆動パルスで構成されている。このため、吐出駆動波形（小滴）をノズル１２に出力することにより、ノズル１２に小滴分のインク吐出用の駆動を行わせることができる。
【００５５】
吐出駆動波形（中滴）は、駆動波形Ｖcomを第３マスクパターンＭＮ［２］でマスクした個別駆動波形ＶoutＮであり、駆動波形Ｖcomの第３駆動パルス及び第４駆動パルスで構成されている。このため、吐出駆動波形（中滴）をノズル１２に出力することにより、ノズル１２に中滴分のインク吐出用の駆動を行わせることができる。
【００５６】
吐出駆動波形（大滴）は、駆動波形Ｖcomを第４マスクパターンＭＮ［３］でマスクした個別駆動波形ＶoutＮであり、駆動波形Ｖcomの第２駆動パルス〜第４駆動パルスで構成されている。このため、吐出駆動波形（大滴）をノズル１２に出力することにより、ノズル１２に大滴分のインク吐出用の駆動を行わせることができる。
【００５７】
次に、記録ヘッド制御部１００と記録ヘッド１１（記録ヘッド駆動部２００）との接続関係について説明する。図１２は、記録ヘッド制御部１００と記録ヘッド１１との接続関係を模式的に示す図である。この図１２では、一つのヘッドアレイが、８個の記録ヘッド１１（１１ａ〜１１ｈ）を備えた例を示している。なお、記録ヘッド１１ａ〜１１ｈの配置は、図３と同様であるとする。また、記録ヘッド１１の各々において、Ｖｄｏ１〜Ｖｄｏ３２０は、３２０個のノズル１２を意味する。
【００５８】
記録ヘッド制御部１００と記録ヘッド駆動部２００（記録ヘッド１１）は、記録ヘッド駆動部２００を介して、各記録ヘッド１１で共通の出力線Ｌ１と、各記録ヘッド１１で個別の出力線Ｌ２とで接続される。
【００５９】
ここで、図１２及び図１３を参照して、従来技術の画像データの転送方法について説明する。図１３は、従来技術に係る画像データの転送方法を説明するためのタイミングチャートである。
【００６０】
記録ヘッド制御部１００は、出力線Ｌ１及びＬ２を介して、上述した画像データ転送部１０１等から出力される各種信号を各記録ヘッド１１に送信する。
【００６１】
具体的に、画像データ転送クロックＳＣＫ（ＳＣＫ１〜ＳＣＫ８）を、出力線Ｌ２を介して、記録ヘッド１１ａ〜１１ｈの順に時分割で出力する。また、記録ヘッド制御部４０は、画像データ転送クロックＳＣＫに基づき、記録ヘッド１１の各々で画像形成（吐出）の対象となる画像データＳＤ［１：０］（画像データ１〜８）を、出力線Ｌ１を介して時分割で出力する。ここで、画像データ転送クロックＳＣＫの出力先となる記録ヘッド１１と、当該記録ヘッド１１用の画像データＳＤ［１：０］とが同期するよう出力が行われる。なお、図１３では、画像データ転送クロックＳＣＫ１〜８が、記録ヘッド１１ａ〜１１ｈ（記録ヘッド駆動部２００ａ〜２００ｈ）の夫々に対応する。
【００６２】
一方、記録ヘッド駆動部２００では、画像データ転送クロックＳＣＫに基づき、出力線Ｌ１を介して入力された画像データＳＤ［１：０］を、図示しない画像データシフトレジスタ２０１に取り込む。
【００６３】
また、記録ヘッド制御部１００は、一ライン分の画像データＳＤ［１：０］の出力が完了すると、出力線Ｌ１又は出力線Ｌ２を介して、画像データラッチ信号ＳＬｎを出力する。そして、記録ヘッド駆動部２００では、画像データラッチ信号ＳＬｎに基づき、画像データシフトレジスタ２０１に取り込んだ画像データＳＤ［１：０］を、図示しない画像データラッチ部２０３にラッチする。
【００６４】
ここで、図１３（ａ）に示した画像データ１と画像データ２との間部分（ｔ４）に着目すると、その間部分（ｔ４）の信号状態は図１３（ｂ）のように表される。
【００６５】
図１３（ｂ）において、画像データ１は記録ヘッド１１ａ用の画像データＳＤ［１：０］に対応し、画像データ２は記録ヘッド１１ｂ用の画像データＳＤ［１：０］に対応する。画像データ２内の“Ｖｄｏ”ナンバーは、記録ヘッド１１ａ、１１ｂにおいて対応するノズル１２を意味し、各画像データＳＤ［１：０］は、記録ヘッド１１が有するノズル１２の個数分（３２０個）の画素情報群で構成される。
【００６６】
つまり、従来技術の構成では、記録ヘッド１１の各々に対し、その記録ヘッド１１が有するノズル１２の個数分の画像データＳＤ［１：０］が出力される。そのため、従来技術の構成では、記録ヘッド１１間のつなぎ目部分の画像データＳＤ［１：０］が２重に出力される。
【００６７】
例えば、図１２及び図１３において、一の記録ヘッド１１を構成するノズル１２の個数が“３２０”、記録ヘッド１１間で重なるノズル１２の個数が“１０”、画像データ転送クロックＳＣＫが“１０ＭＨｚ（０．１μｓ周期）”であったとする。この場合、１ライン分の画像領域ＧＡは、下記式（１）で表されるように、各々が１ｄｏｔに相当するノズル１２の総和から、つなぎ目（重複）部分のノズル１２の個数を減算したものとなる。また、１ライン分の転送に要する画像データ転送期間ＧＴは、下記式（２）で表されるように、各記録ヘッド１１が備えるノズル１２総和に画像データ転送クロックＳＣＫを乗算したものとなる。
【００６８】
ＧＡ＝３２０×８−１０×７＝２４９０（ｄｏｔ）  …  （１）
ＧＴ＝３２０×８×０．１＝２５６（μｓ）  …  （２）
【００６９】
そのため、従来技術の構成では、記録ヘッド１１の個数や、記録ヘッド１１間で重なるノズル１２の個数が増加するに伴い、画像データ転送期間ＧＴが増加するという問題がある。また、図９で示した記録ヘッド駆動波形の出力期間ｔ１３は、長くても１００μｓ程度であり、印刷速度を高速化するためには印字周期を短くするためには、駆動波形出力期間よりも画像データ転送期間の短縮が課題となる。
【００７０】
そこで、本実施形態のインクジェット記録装置１では、上記した従来技術の問題を解消するため、図１４に示す構成を有する。ここで、図１４は、本実施形態に係る記録ヘッド制御部４０及び記録ヘッド駆動部５０の構成の一例を示すブロック図である。なお、上述した図５の構成と同様の機能を有する機能部については、同一の名称・符号を付し、その説明を省略する。
【００７１】
図１４に示すように、記録ヘッド制御部４０は、画像データ転送部４１と、記録ヘッド選択部４２と、マスクパターン転送部１０３と、駆動波形出力部１０５とを備える。なお、図１４では、画像データＳＤ［２］を０に固定することで、実質的に２ｂｉｔ分の画像データＳＤ［１：０］の転送を行う例を示している。また、図１４では、記録ヘッド制御部４０から出力される信号（及び信号線）や、記録ヘッド駆動部５０が備える機能部の図示を一部省略している。
【００７２】
記録ヘッド駆動部５０は、上記した記録ヘッド駆動部２００と同様、画像データシフトレジスタ２０１と、画像データラッチ部２０３と、マスクパターンシフトレジスタ２０５と、マスクパターンラッチ部２０７と、階調デコーダ２０９と、レベルシフタ２１１と、アナログスイッチ２１３とを備える。なお、図１４では、ヘッドアレイ１０（図示せず）が、８つの記録ヘッド１１（１１ａ〜１１ｈ）と、８つの記録ヘッド駆動部５０（５０ａ〜５０ｈ）を備えた構成としている。また、ヘッドアレイ１０での記録ヘッド１１ａ〜１１ｈの配置は、図３と同様であるとする。
【００７３】
また、記録ヘッド制御部４０と、記録ヘッド駆動部５０とを繋ぐ信号線の一部は、論理演算部６０に接続されている。なお、図１４では、論理演算部６０を独立した機能部としているが、記録ヘッド制御部４０に含まれる形態としてもよい。
【００７４】
画像データ転送部４１は、画像データＳＤ［１：０］、画像データ転送クロックＳＣＫ（ＳＣＫ１〜ＳＣＫ８）及び画像データラッチ信号ＳＬｎを転送（出力）する。ここで、画像データ転送部４１から出力される画像データＳＤ［１：０］は、論理演算部６０に入力されるよう構成されている。
【００７５】
記録ヘッド選択部４２は、記録ヘッド選択信号ＳＥＬを論理演算部６０に出力する。記録ヘッド選択信号ＳＥＬは、画像データ転送部４１が転送する画像データＳＤ［１：０］のうち、記録ヘッド１１の重畳部分に対応する画像データＳＤ［１：０］の記録を担当する記録ヘッド１１を選択するための信号である。本実施形態において、記録ヘッド選択信号ＳＥＬは、例えば、１ｂｉｔ（０／１）の信号を用いることができる。
【００７６】
論理演算部６０は、演算回路等であって、記録ヘッド選択信号ＳＥＬに応じて、画像データＳＤ［１：０］の出力先となる記録ヘッド駆動部５０を切替える。具体的に、論理演算部６０は、図１４に示すように、第１論理ゲート６１と、第２論理ゲート６２とを有する。
【００７７】
第１論理ゲート６１は、画像データＳＤ［１：０］と、記録ヘッド選択信号ＳＥＬを反転した信号値との論理積を演算する。また、第１論理ゲート６１は、論理積の演算結果を画像データＳＤ［１：０］として、奇数ヘッド列を形成する記録ヘッド駆動部５０ａ、５０ｃ、５０ｅ、５０ｇの画像データシフトレジスタ２０１に出力する。
【００７８】
第２論理ゲート６２は、画像データＳＤ［１：０］と、記録ヘッド選択信号ＳＥＬの信号値との論理積を演算する。また、第２論理ゲート６２は、論理積の演算結果を画像データＳＤ［１：０］として、偶数ヘッド列を形成する記録ヘッド駆動部５０ｂ、５０ｄ、５０ｆ、５０ｈの画像データシフトレジスタ２０１に出力する。
【００７９】
図１５は、図１４の論理演算部６０から出力される画像データと、吐出されるインク滴との関係を示す図である。なお、図１５では、マスクパターンＭＮの図示を省略しているが、図８と同様、画像データＳＤ［１：０］に応じて第１マスクパターンＭＮ［０］〜第４マスクパターンＭＮ［３］の何れかが適用されるものとする。
【００８０】
記録ヘッド選択信号ＳＥＬが“０”の場合、第１論理ゲート６１から出力される画像データＳＤ［１：０］は、画像データ転送部４１から出力された画像データＳＤ［１：０］と同値となる。そのため、奇数ヘッド列を形成する記録ヘッド１１ａ、１１ｃ、１１ｅ、１１ｇ（記録ヘッド１、３、５、７）では、画像データＳＤ［１：０］に応じてインク滴サイズが切り替わる。また、この場合、第２論理ゲート６２から出力される画像データＳＤ［１：０］は、全て“００”となる。そのため、偶数ヘッド列を形成する記録ヘッド１１ｂ、１１ｄ、１１ｆ、１１ｈ（記録ヘッド２、４、６、８）では、滴なし（微駆動）となる。
【００８１】
また、記録ヘッド選択信号ＳＥＬが“１”の場合、第１論理ゲート６１から出力される画像データＳＤ［１：０］は、全て“００”となる。そのため、奇数ヘッド列を形成する記録ヘッド１１ａ、１１ｂ、１１ｃ、１１ｄ（記録ヘッド１、３、５、６）では、滴なし（微駆動）となる。また、偶数ヘッド列を形成する記録ヘッド１１ｂ、１１ｄ、１１ｆ、１１ｈ（記録ヘッド２、４、６、８）では、画像データＳＤ［１：０］に応じてインク滴サイズが切り替わる。
【００８２】
次に、図１４、図１６を参照しながら、本実施形態の記録ヘッド制御部４０及び記録ヘッド駆動部５０の動作について説明する。図１６は、記録ヘッド制御部４０から記録ヘッド駆動部５０へ転送される画像データＳＤ［１：０］のタイミングチャートの一例を示す図である。
【００８３】
画像データ転送部４１は、図１６に示すように、１ライン分の画像データＳＤ［１：０］を出力する。ここで、データ範囲Ａ１は、記録ヘッド駆動部５０ａの画像データＳＤ［１：０］に対応し、データ範囲Ｄ２は、記録ヘッド駆動部５０ｂの画像データＳＤ［１：０］に対応する。また、データ範囲Ｄ３は、記録ヘッド駆動部５０ａ、５０ｂ間でのノズル１２の重複部分に対応する画像データＳＤ［１：０］である。なお、図１６では、記録ヘッド１１のノズル１２の個数が“３２０”、記録ヘッド１１間で重なるノズル１２の個数が“３”の例を示している。
【００８４】
また、画像データ転送部４１は、記録ヘッド駆動部５０ａ、５０ｂ間でのノズル１２の重複部分をも含めた画像データ転送クロックＳＣＫ（ＳＣＫ１、２）を、重畳関係にある記録ヘッド駆動部５０（５０ａ、５０ｂ）の両方に出力する。
【００８５】
一方、記録ヘッド選択部４２は、画像データ転送クロックＳＣＫの周期に同期して、出力する記録ヘッド選択信号ＳＥＬの値を切り替える。具体的に、記録ヘッド選択部４２は、奇数ヘッド列用の画像データＳＤ［１：０］が出力されている間、記録ヘッド選択信号ＳＥＬを“０”とし、偶数ヘッド列用の画像データＳＤ［１：０］が出力されている間、記録ヘッド選択信号ＳＥＬを“１”する。なお、記録ヘッド選択部４２は、データ範囲Ｄ３の画像データＳＤ［１：０］が出力されている間の所定の遷移タイミング（図１６のｔ５参照）で、記録ヘッド選択信号ＳＥＬの切り替えを行う。
【００８６】
例えば、図１６の例では、データ範囲Ｄ３に含まれる３ノズル分の画像データＳＤ［１：０］のうち、左端の画像データＳＤ［１：０］が、記録ヘッド駆動部５０ａのノズル“Ｖｄｏ３１８”から吐出されることを示している。また、中央及び右端の画像データＳＤ［１：０］が、記録ヘッド駆動部５０ｂのノズル“Ｖｄｏ２”及び“Ｖｄｏ３”から吐出させることを示している。
【００８７】
本実施形態の構成において、例えば、一の記録ヘッド１１を構成するノズル１２の個数が“３２０”、記録ヘッド１１間で重なるノズル１２の個数が“１０”、画像データ転送クロックＳＣＫが“１０ＭＨｚ（０．１μｓ周期）”であったとする。この場合、１ライン分の画像領域ＧＡは、上記式（１）と同様に２４９０（ｄｏｔ）となる。また、１ライン分の転送に要する画像データ転送期間ＧＴは、下記式（３）で表されるように、各記録ヘッド１１が備えるノズル１２の総和から重複部分のノズル数を減算した値に、画像データ転送クロックＳＣＫを乗算したものとなる。
【００８８】
ＧＴ＝（３２０×８−１０×７）×０．１＝２４９（μｓ）  …  （３）
【００８９】
このように、本実施形態の転送方法では、上述した従来技術の転送方法と比較し、上記の条件下において、画像データ転送期間ＧＴを７μｓも短縮することができる。そのため、本実施形態のインクジェット記録装置１では、上述した従来技術の構成よりも印字周期を短くすることができるため、印字速度の高速化を図ることができる。
【００９０】
なお、記録ヘッド選択信号ＳＥＬの遷移タイミングは、ＣＰＵ３４からのレジスタアクセスで設定可能であることが好ましい。また、画像データＳＤ［１：０］の出力先となる記録ヘッド１１（記録ヘッド駆動部５０）に応じて、遷移タイミングを変えてもよい。
【００９１】
例えば、ＣＰＵ３４や記録ヘッド制御部４０が、周期性を有する所定のパターンに基づいて、記録ヘッド選択信号ＳＥＬの遷移タイミングを周期的に変更する形態としてもよい。これにより、画像の形成時において記録ヘッド１１間のつなぎ目を周期的に分散させることができるため、つなぎ目部分を目立たなくすることができる。
【００９２】
また、ＣＰＵ３４や記録ヘッド制御部４０が、記録ヘッド選択信号ＳＥＬの値（“０”→“１”及び“１”→“０”）に応じて、当該記録ヘッド選択信号ＳＥＬの遷移タイミングを変更してもよい。これにより、各記録ヘッド１１の特性に応じて記録ヘッド選択信号ＳＥＬの遷移タイミングを変更することができるため、記録ヘッド選択信号ＳＥＬの遷移タイミングを最適化することができる。
【００９３】
また、ＣＰＵ３４や記録ヘッド制御部４０が、重畳関係にある記録ヘッド１１間毎（例えば、図３の記録ヘッド１１ａ−１１ｂ間と、記録ヘッド１１ｂ−１１ｃ間等）に記録ヘッド選択信号ＳＥＬの遷移タイミングを変更してもよい。これにより、各記録ヘッド１１の配置誤差に応じて記録ヘッド選択信号ＳＥＬの遷移タイミングを変えることができるため、記録ヘッド選択信号ＳＥＬの遷移タイミングを最適化することができる。
【００９４】
また、ＣＰＵ３４や記録ヘッド制御部４０が、印刷モードに応じて記録ヘッド選択信号ＳＥＬの遷移タイミングを変更する形態としてもよい。これにより、印刷モードに応じて記録ヘッド選択信号ＳＥＬの遷移タイミングを変更することができるため、各印刷モードに適したタイミングで記録ヘッド選択信号ＳＥＬを切り替えることができる。
【００９５】
また、ＣＰＵ３４や記録ヘッド制御部４０が、画像データを解析し、比較的つなぎ目が目立たない箇所（例えば、白画像データが連続する箇所等）で切り替えるよう、記録ヘッド選択信号ＳＥＬの遷移タイミングを自動で設定する形態としてもよい。
【００９６】
また、上記したように、記録ヘッド選択信号ＳＥＬの遷移タイミングを変更する変更条件が複数ある場合には、各変更条件に優先度を付与すること好ましい。これにより、ＣＰＵ３４や記録ヘッド制御部４０は、当該優先度に基づいて使用する変更条件を決定することができる。
【００９７】
以上のように、第１実施形態のインクジェット記録装置１によれば、ライン型インクジェット方式のインクジェット記録装置１において、ヘッドアレイ１０に対する画像データの転送をより効率的に行うことができる。これにより、印字速度をより高速化することができるため、生産性の向上を図ることができる。
【００９８】
（第２の実施形態）
第２実施形態では、第１の実施形態で説明した画像データの転送方法を、マスクパターンを用いて実現する構成例について説明する。以下では、第１実施形態との相違点の説明を主に行い、第１実施形態と同様の機能を有する構成要素については、第１実施形態と同一の名称・符号を付し、その説明を省略する。
【００９９】
図１７は、第２の実施形態に係る記録ヘッド制御部４０ａ及び記録ヘッド駆動部５０の構成の一例を示すブロック図である。図１７に示すように、記録ヘッド制御部４０ａは、画像データ転送部４３と、記録ヘッド選択部４４と、マスクパターン転送部４５と、駆動波形出力部１０５とを備える。なお、図１７では、後述するように、画像データＳＤ［２］を記録ヘッド選択信号ＳＥＬとして用いることで、実質的に２ｂｉｔ分の画像データＳＤ［１：０］の転送を行う例を示している。また、図１７では、記録ヘッド制御部４０ａから出力される信号（及び信号線）や、記録ヘッド駆動部５０が備える機能部の図示を一部省略している。
【０１００】
記録ヘッド駆動部５０は、上記した記録ヘッド駆動部２００と同様、画像データシフトレジスタ２０１と、画像データラッチ部２０３と、マスクパターンシフトレジスタ２０５と、マスクパターンラッチ部２０７と、階調デコーダ２０９と、レベルシフタ２１１と、アナログスイッチ２１３とを備える。なお、図１７では、図１４と同様、ヘッドアレイ１０（図示せず）が、８つの記録ヘッド１１（１１ａ〜１１ｈ）と、８つの記録ヘッド駆動部５０（５０ａ〜５０ｈ）を備えた構成としている。また、ヘッドアレイ１０での記録ヘッド１１ａ〜１１ｈの配置は、図３と同様であるとする。
【０１０１】
画像データ転送部４３は、画像データＳＤ［１：０］、画像データ転送クロックＳＣＫ（ＳＣＫ１〜ＳＣＫ８）及び画像データラッチ信号ＳＬｎを転送（出力）する。ここで、画像データ転送部４１から出力される画像データ転送クロックＳＣＫは、図１６で説明したように、隣接する記録ヘッド１１での画像データの重複部分において、当該記録ヘッド１１に同時に送信が行われる。
【０１０２】
記録ヘッド選択部４４は、第１の実施形態で説明した記録ヘッド選択信号ＳＥＬを、画像データＳＤ［２］として記録ヘッド駆動部５０の画像データシフトレジスタ２０１に出力する。本実施形態において、記録ヘッド選択信号ＳＥＬは、例えば、１ｂｉｔ（１／０）の信号を用いることができる。なお、記録ヘッド選択信号ＳＥＬ、つまり画像データＳＤ［２］の値を切り替える遷移タイミングは、第１の実施形態と同様であるとする。
【０１０３】
マスクパターン転送部４５は、マスクパターンＭＮ［７：０］を記録ヘッド駆動部５０のマスクパターンシフトレジスタ２０５に転送（出力）する。ここで、マスクパターン転送部４５は、奇数ヘッド列を形成する記録ヘッド駆動部５０ａ、５０ｃ、５０ｅ、５０ｇと、偶数ヘッド列を形成する記録ヘッド駆動部５０ｂ、５０ｄ、５０ｆ、５０ｈとで、出力するマスクパターンを異ならせる。
【０１０４】
具体的に、マスクパターン転送部４５は、奇数ヘッド列を形成する記録ヘッド駆動部５０ａ、５０ｃ、５０ｅ、５０ｇに対し、ＳＤ［２］が“０”の時に有効となるマスクパターンＭＮ［３：０］と、ＳＤ［２］が“１”の時に無効となるマスクパターンＭＮ［７：４］とを、マスクパターンＭＮ１として転送する。また、マスクパターン転送部４５は、偶数ヘッド列を形成する記録ヘッド駆動部５０ｂ、５０ｄ、５０ｆ、５０ｈに対し、ＳＤ［２］が“０”の時に無効となるマスクパターンＭＮ［３：０］と、ＳＤ［２］が“１”の時に有効となるマスクパターンＭＮ［７：４］とを、マスクパターンＭＮ２として転送する。
【０１０５】
ここで、マスクパターンＭＮ１のマスクパターンＭＮ［３：０］としては、例えば、図８で説明した画像データＳＤ［２］＝０と、画像データＳＤ［１：０］との条件で適用されるマスクパターンＭＮ［３：０］（図７参照）を用いることができる。また、残りのマスクパターンＭＮ［７：４］については、ＳＤ［２］＝１の条件で、ノズル１２を微駆動させるためのマスクパターン（図７のＭＮ［０］参照）を用いることができる。
【０１０６】
マスクパターンＭＮ２のマスクパターンＭＮ［７：４］としては、マスクパターンＭＮ１での画像データＳＤ［２］の条件を“１”としたものを用いることができる。また、残りのマスクパターンＭＮ［３：０］については、ＳＤ［２］＝０の条件で、ノズル１２を微駆動させるためのマスクパターン（図７のＭＮ［０］参照）を用いることができる。
【０１０７】
図１８は、記録ヘッド制御部４０ａから出力される画像データと、吐出されるインク滴との関係を示す図である。ここで、図１７に示す関係は、上述した図１５の記録ヘッド選択信号ＳＥＬを画像データＳＤ［２］としたものと同等となる。
【０１０８】
具体的には、画像データＳＤ［２］が“０”の場合、奇数ヘッド列を形成する記録ヘッド１１ａ、１１ｃ、１１ｅ、１１ｇ（記録ヘッド１、３、５、７）では、マスクパターンＭＮ１の適用により画像データＳＤ［１：０］に応じてインク滴サイズが切り替わる。また、この場合、偶数ヘッド列を形成する記録ヘッド１１ｂ、１１ｄ、１１ｆ、１１ｈ（記録ヘッド２、４、６、８）では、マスクパターンＭＮ２の適用により滴なし（微駆動）となる。
【０１０９】
画像データＳＤ［２］が“１”の場合、奇数ヘッド列を形成する記録ヘッド１１ａ、１１ｃ、１１ｅ、１１ｇ（記録ヘッド１、３、５、７）では、マスクパターンＭＮ２の適用により滴なし（微駆動）となる。また、この場合、偶数ヘッド列を形成する記録ヘッド１１ｂ、１１ｄ、１１ｆ、１１ｈ（記録ヘッド２、４、６、８）では、マスクパターンＭＮ２の適用により画像データＳＤ［１：０］に応じてインク滴サイズが切り替わる。
【０１１０】
また、記録ヘッド制御部４０ａから記録ヘッド駆動部５０へ転送される画像データＳＤ［１：０］のタイミングチャートは、上述した図１６と同様となる。そのため、本実施形態を採用することで、上述した第１の実施形態と同様の効果を奏することができる。
【符号の説明】
【０１１１】
１  インクジェット記録装置
１０  ヘッドアレイ
１１  記録ヘッド
１２  ノズル
４０  記録ヘッド制御部
４１  画像データ転送部
４２  記録ヘッド選択部
４３  画像データ転送部
４４  記録ヘッド選択部
４５  マスクパターン転送部
５０  記録ヘッド駆動部
１０１  画像データ転送部
１０３  マスクパターン転送部
１０５  駆動波形出力部
２０１  画像データシフトレジスタ
２０３  画像データラッチ部
２０５  マスクパターンシフトレジスタ
２０７  マスクパターンラッチ部
２０９  階調デコーダ
２１１  レベルシフタ
２１３  アナログスイッチ
【先行技術文献】
【特許文献】
【０１１２】
【特許文献１】特開２０１２−１２５９８１号公報
【図１】
2015178180.tif 000003
【図２】
2015178180.tif 000004
【図３】
2015178180.tif 000005
【図４】
2015178180.tif 000006
【図５】
2015178180.tif 000007
【図６】
2015178180.tif 000008
【図７】
2015178180.tif 000009
【図８】
2015178180.tif 000010
【図９】
2015178180.tif 000011
【図１０】
2015178180.tif 000012
【図１１】
2015178180.tif 000013
【図１２】
2015178180.tif 000014
【図１３】
2015178180.tif 000015
【図１４】
2015178180.tif 000016
【図１５】
2015178180.tif 000017
【図１６】
2015178180.tif 000018
【図１７】
2015178180.tif 000019
【図１８】
2015178180.tif 000020